(57)【要約】【課題】簡易な構成で低コストな屋根の雪降ろし装置を提供する。【解決手段】屋根棟から軒先の屋根上面に沿って、雪押し移動材と、この移動材を駆動する駆動機構と駆動制御する駆動制御機構で構成される。駆動機構は駆動モータに連結された駆動軸に巻付け固定された可撓性連結材が雪押し移動材と結合し駆動軸が回動する事により可撓性連結材が巻付け(正転)、巻戻し(逆転)により雪押し移動材が屋根面を上下移動する。屋根軒先に移動する時は雪を屋根面に平行に押し流し排除する。屋根大棟先に移動する時は逆転し積雪を掻揚げ滑落させ細かい塊にして下面に移動する時に容易に雪押し状態を作り排除する。尚屋根面は、日本瓦、耐震用軽量瓦、金属製のトタンと様々あり且つ、断面は波状、平坦や突起のあるトタンなどあり凹凸段差がみられる。よって雪押し移動材の動き障害除去、屋根材と雪との静止摩擦係数の軽減の為に滑雪シートが設置されている。【選択図】  図１
2008031777.tif 000002
【特許請求の範囲】
【請求項１】
屋根棟(上部)から軒先(下部)の屋根上面に沿って、滑雪シートを敷き、雪を押し流す雪押し移動材を駆動する駆動機構と正転，逆転且つ断続運転する為の制御装置から構成される事を特徴とする屋根の雪降ろし装置。
【請求項２】
上記発明において、前記滑雪シートは端部が屋根の大棟に配置された架台の下部に取り付けられ他端部は屋根軒先迄垂れ下がる事を特徴とする請求項１、の屋根の雪降し装置。
【請求項３】
上記発明において、屋根の大棟に駆動モータ及び駆動軸を載せた架台を配設しこの駆動軸に互いに反対方向に可撓性連結材によって連結し同一回転で両流れ屋根面の前記雪押し移動材は互いに反対方向(上部→下部、下部→上部)に移動する事を特徴とする請求項1、請求項2の屋根の雪降ろし装置。
【請求項４】
請求項１の発明において、雪押し移動材には、キャスターが取り付けられ自由に動き、短辺部材と長辺部材で構成される事を特徴とする請求項1、請求項2、請求項3、の屋根の雪降ろし装置。
【発明の詳細な説明】
【技術分野】
【０００１】
本発明は、豪雪地帯の屋根に積もった雪を除去する屋根の雪降ろし装置に関するものである。
【背景技術】
【０００２】
従来の豪雪地帯の構造物は屋根に積もった雪の重量で倒壊することがあり、様々な方法で雪降ろし作業を行っている。作業者が屋根に上がって手作業でスコップや小船の形状した雪降ろし具等で雪をすくい屋根下へ投げ降ろすのが一般的である。連続で降る雪の傾斜屋根の雪降ろしは、常に落下の危険が伴う重労働な作業である。又手作業に依らない方法も様々ある。
屋根下へ雪降ろしする方法として、安全且つ楽なエンドレス状に掛けられたベルト状体でのコンベアーを配置して雪を繰り返し雪降ろしする方法である。(例えば特許文献1参照)
２つの回転ローラーに網目状に形成されたネットを掛けその上にカバー状体の物を取り付けてコンベアーを形成しローラーを駆動して雪降ろしする方法もある。(例えば特許文献2参照)
又積雪層を上下に切断する可動材をプーリーとワイヤーロープの索条部材を駆動し雪崩現象を発生させて屋根下に滑落させる方法も提案されている。(例えば特許文献3参照).
【０００３】
【特許文献１】特開平９−２７９７９４
【特許文献２】特開平５−２８０１６９
【特許文献３】特開２０００−２７４０３８
【０００４】
上記特許文献１、特許文献２、の記載の雪降ろし装置は、ともに屋根上に駆動モ−タとそれに連結された駆動軸と回転軸が配置される。軸と軸の間にベルト状体をエンドレスに掛けられてベルト状体の上に付着した雪を連続的に軒下に落下させる事を特徴にしているが、屋根の両端に駆動軸の軸受と伝達チェーン及びギヤーが設けられているが、かなり大掛かりのため重量もあり設備費及び取り付けの為の屋根の改修費、及び設置後の維持費が高価なものになる。
また特許文献３、では上下切断する可動材を移動させ雪をスライスし雪崩のように自己滑落させる方式もある。積雪には新雪，しまった雪、ざらめ雪や水分が多い湿った雪等様々な種類があり、水分の少ないサラサラ雪や降って間もない雪などは，塊になりにくく切断しても雪崩がおきない。屋根の下部(軒先)の雪は、たとえ切断しても雪の重みで落下する可能性があるけれど屋根の上部(大棟)付近の雪では切断しても雪崩のようにならなくてその位置に滞る。又可動材を移動する為のループ状に連結され索状部材は、プーリーを介して移動させているが長い為伸びの問題や取り付け位置に配慮が必要である。又雪の重みや、取り付け位置が可動材の下にある為に屋根上面に接触したりする。可動部材は滑性部材の上を移動するが高さＨ分に雪が残り氷結し屋根を損傷する可能性がある。又滑性部材の取り付けには，屋根の凸部に接着材を介して固定する構造だが屋根材は、日本瓦(陶器製)、セメント瓦、カラーベスト(耐震用軽量瓦)、トタン(金属性)等様々で、且つ凹凸段差があり滑性部材の取り付けが難しい。接着材での固定は、雪の降る寒い冬の季節には耐候性の問題があり、ひび割れなどの強度上の問題が残る。
【発明の開示】
【発明が解決しようとする課題】
【０００５】
本発明はこのような従来の雪降ろし装置の問題点を解消する為に行われ、雪の性質を考慮し且つ様々な屋根材に適応し，軽量で簡易な構造に依り設置の為の既存の構造物の改修は少なく安全で安価な屋根用雪降ろし装置を提供する事を目的とする。
【課題を解決するための手段】
【０００６】
上記目的を達成するために本発明では、屋根棟部(上部)から屋根軒先(下部)の屋根上面に沿って、滑雪シートを敷き、雪を押し流す雪押し移動材を駆動する駆動機構と正転，逆転且つ断続運転する為の制御装置から構成される事を特徴とする屋根の雪降ろし装置で、前記滑雪シートは端部が屋根の大棟に配置された架台の下部に取り付けられ他端部は屋根軒先迄垂れ下げられる。又、屋根の大棟に駆動モータ及び駆動軸を載せた架台を配設しこの駆動軸に互いに反対方向に可撓性連結材によって連結し同一回転で両流れ屋根面の前記雪押し移動材は互いに反対方向(上部→下部、下部→上部)に移動する事を特徴とする。可撓性連結材としては、例えばシートベルト又は可撓性鋼索がある。雪押し移動材にはキャスターが取りついているので自由に動き、短辺部材と長辺部材で構成される事を特徴とした屋根の雪降ろし装置を要旨とするものである。
【発明の効果】
【０００７】
本発明は、簡易な構成で屋根面の積雪は、滑雪シート上にある為、雪と滑雪シート面の静止摩擦係数(０．０７  at  0℃)が従来の屋根材(釉薬日本瓦＝０．１ａt  ０℃)よりかなり小さいので雪降ろしの為の動力が少なく且つ屋根面の段差凹凸が平滑になりキャスター付雪押し移動材の動きは、円滑になる。又特別の軌道は入らないので設置に伴う既存の構造物の改修費など少なく安価で優れた効果をもたらす。
【発明を実施するための最良の形態】
【０００８】
本発明の実施の形態を図１〜図２４により以下に詳述する。
【実施例１】
【０００９】
図1は、本発明に係る屋根用雪降ろし装置の１実施例の斜視図を示すものである。
屋根１の屋根棟部(1a ),屋根軒先部(1b) に沿って敷いてある滑雪シート７０上を移動する雪押し移動材3と雪押し移動材３を駆動する駆動機構４と駆動機構４を制御し雪押し移動材３を正転，逆転及び連続、断続運転する為の制御装置５等で構成されている。尚、トタン等の平坦な金属製屋根等は、滑雪シート７０が敷かれない場合もある。
【００１０】
前記雪押し移動材３は、図２，図３、図４、のように両流れ屋根の場合各1台ずつ配置され一方が上部(1a)に向かえば他方は下部(１b)に移動するように構成されている。駆動モータ６、駆動軸11は同じだがシートベルト１９の巻付け方向が互いに逆になるように取り付けられ、雪押し移動材３の重量負荷のバランスが取られている。尚、片流れ屋根においては、雪押し移動材は、１台である。
【００１１】
前記滑雪シート７０の一端は，図１、図６、図７、のように大棟２に配設された駆動部架台２０及び軸受架台３７の縦材b２６の下部にU形フック２７が固着された位置にセットされる。他端は、屋根軒先1 b に取り付けられた滑雪シート垂れ軸支え７２上の滑雪シート垂れ受軸７１で垂れ下がり滑雪シートテンション用重り軸支え７６に至る。尚、冬期以外はＵ形フックから外し別の場所に保管する事ができる。
【００１２】
前記滑雪シート７０の端部は筒状に丸められそこに中空の滑雪シート軸６９が挿入されＵ形フック２７に納められる。他端は中実の滑雪シートテンション用重り軸7３を挿入し垂れ下がり位置が屋根の流れに沿ったらセットカラー７４をボルト７５で止め、滑雪シートテンション用重り軸７３からのずれを防いでいる。尚滑雪シート垂れ支え７６の先端は滑雪シート７０が常にテンションが懸るようにテンション用重り軸７３が上下できる長さのＵ字長穴の形状に作られている。
【００１３】
前記滑雪シート７０は、軽量高張力の性状を持つシートであり熱可塑性樹脂糸で編成された織布であり、屋根面全体を被う大きさが良い。それにより屋根の凹凸及び段差が解消され屋根軒先で発生するツララの防止や雪解け水の浸入対策も兼ねている。
【００１４】
撥水性、且つ表面租度が平滑な前記滑雪シート７０を取り付ける事で，０℃から融解始める雪が作る水で雪の静止摩擦係数が減少し雪を押流す力は小さくなり雪押し移動材３の力(重量)は少なくて済む。
【００１５】
前記駆動機構４は，図１、図３、図５、図６、図７のように大棟２を跨ぎ、軽量鋼とプレ−トで構成された駆動部架台２０と軸受架台３７が配設され駆動部架台２０に駆動源の駆動モータ６と駆動軸１１と連結し可撓性シートベルト１９を(図１０の可撓性鋼索７８でも良い)回動し雪押し移動材３を屋根面で上下させている。
【００１６】
駆動部架台２０は、駆動源の駆動モータ６とそれを取り付ける駆動モータ取付板２１、軸受a ９、軸受取付板２２、軸受b１５、軸受取付板３８が、固着されている。駆動モータ６、軸受a ９、軸受b １５、はボルト７、１０、１６で固定される。滑雪シート軸６９取り付け用にU形フック２７が下部にその横に球面付ボルト取付板３２が固着されている。 
【００１７】
駆動部架台２０は、横材a２３，横材b ２４、縦材a ２５、縦材b ２６、の骨組で構成される。尚屋根面に設置するので斜面になじむために駆動部架台２０の下面にメスネジが切られ球面付ボルトa ２８がネジ部に取り付けられ４ケ所で、水平及び高さをネジ部で調整する。屋根の傾き合わせは球面座になっているパット２９を回し駆動部架台２０が水平になる位置でナット２９で固定する。パットは屋根面に疵がつかない、且つ全面に接触するようにクッション材３１が張られている。又前記架台は、極力風雪の影響を少なく且つ重心を下げ安定させるため低いのが好ましい。それと横方向の固定の為に球面付ボルトb３３ が用意され同じようにネジの長さとパット３５の角度を調整して大棟に押しつけ丁度良い軸受架台３７が水平になる位置で球面付ボルト取付板３２にナット３４で固定し安定させる。
【００１８】
軸受け架台3７には、駆動軸11を支える軸受a9、軸受b 1５、軸受取付板２２、３８が固着されている。前記軸受けはボルト１０、１６、固定される。滑雪シート軸６９取り付け用にU形フック２７が下部にその横に球面付ボルト取付板３２が固着されている。 
【００１９】
軸受け架台3７は横材a２３，縦材a ２５、縦材b ２６、の骨組で構成される。尚、屋根面に設置する為、斜面になじむために軸受架台3７の下面にメスネジが切られ球面付ボルトa 2８がネジ部に取付けられ２ケ所で、水平及び高さをネジ部で調整する。屋根の傾き合わせは球面座になっているパット２９を回し丁度良い軸受け架台３７が水平なる位置でナット２９を固定する。パットは屋根面に疵がつかない、且つ全面に接触するようにクッション材３０が張られている。又前記架台は、極力風雪の影響を少なく且つ重心を下げ安定させるため低いのが好ましい。それと横方向の固定の為に球面付ボルトb３３が用意され同じようにネジの長さとパット３５の角度を調整し大棟２に押しつけ丁度良い位置で球面付ボルト取付板３２にナット３４で固定し安定させる。軸受け架台３７は屋根巾が大きくなればその大きさに合わせ駆動軸11、テンション軸１３の長さとの関係を見て増加すれば良い。尚駆動モータ7、駆動軸１１、テンション軸１３、軸受a９ ,軸受b１５ 等に着雪しない様にカバーが用意されている。図示省略。
【００２０】
駆動部架台２０、軸受架台３７には、駆動軸１１、１本と、テンション軸１３、４本が軸受９、１５で支えられている。この軸はそれぞれの架台を連結するのと骨組の役目も兼ね備えている。長さは屋根巾に合わせ調整して軸継手b １２ 、c １４ で連結する。図８、図９、のように駆動軸11に数回巻付け半割状態のシートベルト取付カラー１７を被せボルト１８にて締付固定される。外周はドラム形状でシートベルト１９が巻き付けられる。他端は、図１０のよう雪押し材３が屋根棟部1 aから屋根軒先部1ｂまで移動出来る長さで図１４ように長辺シート押さえ４７、短辺シート押さえ４８、で雪押し移動材３、の長辺材３９、短辺材４０にて鋏みボルト４９、ナット５０で共締め固定する。尚雪押し移動材３、シート押さえ４７、４８、は共に固着された蝶番４０、４８で一体となる。
【００２１】
シートベルト１９は、雪押し移動材３  1本に付2ケ所で連結する。依って両流れ屋根においては雪押し移動材３、は計２本である。シートベルト４ケ所となる。但し図３のように駆動軸１１テンション軸１３に通す時に矢印方向が、互いに反対になるように取り付ける。それにより雪押し移動材３は、互いにが逆(上、下移動)の動きをする。尚シートベルトの巾と本数は雪押し移動材３の重量を考慮して決める。
【００２２】
シートベルト１９は可撓性且つ軽量で高張力の性状を備え，熱可塑性樹脂糸で編成された織布で、駆動軸１１、雪押し材移動材３、を広い巾で連結されている。よって駆動軸１１えの負荷は等分布になり歪が少なくなる。又薄い為に外周がドラム状になっているシートベルト取付カラー１７に巻付いた時に、外径が大きくならない特徴がある。
【００２３】
雪押し移動材３は図１１、図１２、のように長辺材39、短辺材４０、で構成され数カ所に固着された蝶番で一体になっている。両端は、側板５２、が長辺材39に固着されている。雪押し移動材３は、屋根の巾とほぼ同じ位にして雪を押し流す。屋根の巾が大きくなったら図１５, のように長辺継手材４１、短辺継手材４２が固着された蝶番b４４,で一体になった継手材でボルト４５、ナット４６で連結する。尚雪押し移動材３は、長辺材39、短辺材４０は別部品でなく一体でも良い。尚、雪押し移動材3は、冬期以外は屋根下に降ろしシ−トべルト１９より着脱し保管してもよい。
【００２４】
雪押し移動材３は、屋根面を自由に移動する為  図１４、のように長辺材39にキャスター大５５、キャスター小５６、が並んでナットa５７, ナットb５８、ナットc５９ ,ナットd６０で固定されている。 
【００２５】
雪押し移動材３は図2１のように屋根面よりTミリ隙間が出来る様に考慮されている。キャスターについては取付ネジの長さを調整してナットa５７, ナットb５８、ナットc５９ ,ナットd６０で固定する。T＝５ミリ位が良い。屋根材の断面形状(凹凸)の違いに対しては、図１３のように短辺材40の両端に隙間板６１、が固着されている。それに掻き板差込板６２、がボルト６３、で固定されている。図１７、のような平坦な屋根の断面形状はこの状態で使用する。
図１８、のような日本瓦のような波状の断面形状の場合は、波状の掻き板(瓦屋根用)６４をセットする。掻き板64は先端が掻き板差込板６２の厚みに差込みが出来るくらいの隙間に折り曲げられ高さ、横方向に調整できる長さでナット６５が固着されている。セットボルト６６で固定される。但し掻き板５４は屋根面よりL(約５ミリ)くらいの隙間にセットする。隙間が大きいと屋根に雪が残り効率が悪い。又隙間がないと滑雪シート７０や屋根面に接触し疵が発生する。瓦屋根のように決まったピッチで配置されているので掻き板もそれに合わせ横方向に注意してセットする。
図１９のような金属性突起屋根の場合は横方向の隙間が５ミリ程度の掻き板(金属製突起屋根用)６７を上記のようにセットする。この様に屋根の断面が変わっても断面形状に合わせた掻き板を用意し、それを掻き板差込板６２にセットすれば対応が可能である。
【００２６】
雪押し移動材３は図2１、図２２、の様に短辺材４０、の両端面にネジ５３、が固着され、長辺材３９の両端面には側板５２が固着され蝶番４１を中心としてネジ５３がA゜動く長穴が切られている。短辺材４０が雪質により雪押し角度を調整出来るような構造になっている。水分の少ない乾いたサラサラ雪においては、雪密度が小さいので雪押し動力が少なくて済むので図２２のように屋根面に垂直(９０゜)にし効率よく雪を押し流す。他方水分の多い湿った雪の場合は、雪密度が大きいので雪押し動力が多く必要になる。図２２のように(９０゜＋A゜)に調整する。尚雪質がサラサラで水分の少ない地域「北海道」などの場合は短辺材が屋根面に垂直にして角度を調整する機能は不要である。短辺、長辺材は一体でも良い。
【００２７】
雪押し移動材３は, 図4 のように屋根軒先部1bに向かっている時は短辺材４０が雪77を押し流し、図３のように屋根棟部１a に向かっている時は長辺材３９が積雪を堀起こし、塊状態の雪をほぐし屋根軒先部に移動する時に容易に雪７７を押し流す役目をしている。尚図２２のように長辺材40は水平面に対してB゜(３゜)位傾ける状態にすると雪が雪押し移動材３から落下しやすい。θ＝屋根勾配角度を示す。 
【００２８】
上述の作用を有効に実現する為に以下の諸条件を考慮する必要がある。図2５のように
(1)屋根の勾配(θ)＝２０゜
(2)積雪範囲A(巾)＝1ｍ、Ｂ(長さ)＝4ｍ、
(3)積雪深さ（豪雪地帯の山沿いの大雪警報基準）H＝1ｍ／日(＝４.２ｃｍ／時間＝２．１ｃｍ／0.5時間        参考値(平野部はH=０．７m／日)
(4)積雪の平均密度(ρ)＝３００ｋｇ／ｍ３＝０．３gr／ｃｍ３  (参考値・新雪５０ｋｇ／ｍ３〜１５０ｋｇ／ｍ３)
(5)屋根面(滑雪シート70)と雪との静止摩擦係μ＝0.07(at 0゜C)   
屋根上の積雪重量Ｇ＝H×Ａ×Ｂ×ρ=０.０４２ｍ×１ｍ×４ｍ×３００k g f 
／ｍ３＝５０．４0ｋｇｆ
２)  図２３のように、P(接触面に働く垂直力)
積雪の屋根面に水平に働く力ｆ＝μＰ=μＧc o sθ=０．０７×５０．４０k g f  × ０．９３９６＝３．３１k g f  
３)  図２４のように雪押し移動材３が屋根面に水平に働く力F＝Ｗsinθより
雪押し移動材3の重量は  Ｗ＝Ｆ÷sinθ＝３．３１k g f   ÷０．３４２０＝９．６８k g f  
【００２９】
雪押し移動材３の長辺材３９、短辺材４０の検討
上記の結果より長辺材３９は、１００(巾)ｘｔ9(厚み)＝７.０６ｋｇｆ／ｍ
短辺材４０は、５０(巾)ｘｔ９(厚み)＝３．５３ｋｇｆ／ｍの鋼製部材を使用すれば
雪押し移動材３の合計重量=７．０６ｋｇｆ+３．５３ｋｇｆ=１０．５９ｋｇｆ
で９．６８ｋｇｆより大きくなり屋根面の積雪は、雪押し移動材３により屋根軒先外に排除される。
【００３０】
前記諸条件の中の雪密度は、雪質毎に新雪時５０〜１５０ｋｇ／ｍ３，しまり雪２５０〜５００ｋｇ／ｍ３、ざらめ雪３００〜５００ｋｇ／ｍ３とかなり範囲が広い。密度は１０倍、体積は圧縮され積雪後の時間が経過する程除雪は,非常に不利になるので、雪押し移動材３の運転には新雪時の除雪が一番効率が良い。又雪押し移動材３の重量が関係するから安全で安価な軽量装置を目ざす場合は積雪深さHは地域毎に違うが浅く設定し雪押し移動材3の稼動サイクルを増加すれば可能である。よってタイマー制御が必要である。
【００３１】
雪押し移動材３は、このように短辺材３９及び長辺材の合計重量は、積雪の屋根面が屋根面に水平に働く力ｆより大きい事が考慮される。
【００３２】
前記制御装置５は積雪センサー５Ｘを含み屋根棟先の端に取り付けられ設定された積雪Ｈに達すると検知し、駆動モータ６が回転し制御するようにしてある。
【００３３】
図２では雪押し移動材３が互いに移動する方向(上部，下部)が逆に動く様にシートベルト１９が掛けられている。制御装置5の積雪センサー５Ｘが屋根上の積雪層が設定された高さＨ(一定)に到達したら制御装置５の命令信号により駆動モ−タが右回転(正転)し雪押移動材３の動作が開始する。図3のように雪押し移動材3Ｘ(３Ｙ)が屋根軒先部(屋根棟部)迄移動する。移動に伴い雪押し移動材３Ｘの短辺材４０により積雪は、図３のように屋根面に沿い押し流され，屋根軒先部(１ｂ)で、屋根に垂れ下がっている滑雪シート70に沿って落下し排除される。その後制御装置４の命令信号により駆動モータ６が左回転(逆転)し屋根棟部(屋根先部)に向かって移動する。移動に伴い雪押し移動材３Ｘの長辺材３９により積雪７７を掘り起こし且つ塊をほぐしながら屋根棟部(屋根棟先部)に到達し１サイクルが完了する。その後再度設定高さＨになれば前記のような同じ動作が繰り返される。ここで、水分を多く含む日本海側の雪質の場合は雪どうしの結合力強くブロック化しやすいので雪押し移動材３を短時間に正逆運転しながら移動する動作をプログラムにする事により積雪が粉砕され小さなさらさらの雪となり雪押しが容易になる。又積雪量は常に変化するので雪押し移動材３の動作をパターン化し且つ決められた時間に動作する様な制御装置にセットされている。
【図面の簡単な説明】
【００３４】
【図１】本発明の屋根用雪おろし装置の実施形態を表わす概略斜視図
【図２】本発明の側面図
【図３】駆動部、雪押材の屋根棟部の側面図
【図４】雪押移動材の屋根軒部の側面図
【図５】図3の駆動部及び架台のＡ＝Ａ断面視
【図６】駆動部及び駆動部架台の概略斜視図
【図７】軸受け架台の斜視図
【図８】シートベルト取付カラー断面図
【図９】図８のシートベルト取付カラーのＢ＝Ｂ断面視
【図１０】図８の可撓性鋼線シートベルト取付カラーのＢ＝Ｂ断面視
【図１１】雪押移動材の全体平面図
【図１２】雪押移動材の全体正面図
【図１３】雪押移動材のＣ＝Ｃ側面図
【図１４】雪押移動材のＤ−Ｄ斷面図
【図１５】雪押移動材のＥ−Ｅ斷面図
【図１６】雪押移動材のＦ−Ｆ斷面図
【図１７】フラットな屋根面と雪押移動材の隙間Ｌ図
【図１８】瓦屋根面と雪押移動材の隙間Ｌ図
【図１９】突起トタン屋根面と雪押移動材の隙間Ｌ図
【図２０】屋根面と雪押移動材の断面図
【図２１】屋根面と雪押移動材寸法関係図
【図２２】屋根面と雪押移動材の寸法関係図
【図２３】雪押移動材の屋根面に水平に働く力の説明図
【図２４】積雪が屋根面に水平に働く力の説明図
【図２５】雪押移動材の大きさを決める説明図
【符号の説明】
【００３５】
１    屋根
１a   屋根棟部
1 b   屋根軒先部
２    大棟
３    雪押し移動材
３Ｘ  Ｘ雪押し移動材
３Ｙ  Ｙ雪押し移動材
４    駆動機構
５    制御装置
６    駆動モータ
７    ボルト
８    軸継手a
９    軸受a
１０  ボルト
１１  駆動軸
１２  軸継手b
１３  テンション軸
１４  軸継手c
１５  軸受b
１６  ボルト
１７  シートベルト取付カラー
１８  ボルト
１９  シートベルト
２０  駆動部架台
２１  駆動モータ取付板
２２  軸受取付板
２３  横材a 
２４  横材b
２５  縦材a
２６  縦材b
２７  Ｕ形フック
２８  球面付ボルトa
２９  ナット
３０  パット
３１  クッション材
３２  球面付ボルト取付板
３３  球面付ボルトb
３４  ナット
３５  パット
３６  クッション材
３７  軸受架台
３８  軸受取付板
３９  長辺材
４０  短辺材
４１  蝶番a
４２  長辺継手材
４３  短辺継手材
４４  蝶番b
４５  ボルト
４６  ナット
４７  長辺シート押さえ
４８  短辺シート押さえ
４９  蝶番c
５０  ボルト
５１  ナット
５２  側板
５３  ネジ
５４  ナット
５５  キャスター大
５６  キャスター小
５７  ナットa
５８  ナットb 
５９  ナットc
６０  ナットd
６１  隙間板
６２  掻き板差込み板
６３  ボルト
６４  掻き板「瓦屋根用」
６５  ナット
６６  セットボルト
６７  掻き板「金属製瓦突起屋根用」
６８  セットボルト
６９  滑雪シート軸
７０  滑雪シート
７１  滑雪シート垂れ受軸
７２  滑雪シート垂れ軸支え
７３  滑雪シートテンション用重り軸
７４  セットカラー
７５  ボルト
７６  滑雪シートテンション用重り軸支え
７７  雪
７８  可撓性鋼線
【図１】
2008031777.tif 000003
【図２】
2008031777.tif 000004
【図３】
2008031777.tif 000005
【図４】
2008031777.tif 000006
【図５】
2008031777.tif 000007
【図６】
2008031777.tif 000008
【図７】
2008031777.tif 000009
【図８】
2008031777.tif 000010
【図９】
2008031777.tif 000011
【図１０】
2008031777.tif 000012
【図１１】
2008031777.tif 000013
【図１２】
2008031777.tif 000014
【図１３】
2008031777.tif 000015
【図１４】
2008031777.tif 000016
【図１５】
2008031777.tif 000017
【図１６】
2008031777.tif 000018
【図１７】
2008031777.tif 000019
【図１８】
2008031777.tif 000020
【図１９】
2008031777.tif 000021
【図２０】
2008031777.tif 000022
【図２１】
2008031777.tif 000023
【図２２】
2008031777.tif 000024
【図２３】
2008031777.tif 000025
【図２４】
2008031777.tif 000026
【図２５】
2008031777.tif 000027
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
屋根棟（上部）から軒先（下部）の屋根上面に沿って、雪を押し流すキャスターを設けた雪押し移動材とその移動材を駆動する駆動機構と正転，逆転且つ断続運転する為の制御装置から構成される事を特徴とする屋根の雪降ろし装置。
【請求項２】
上記発明において、屋根棟（上部）から棟先（下部）の屋根上部に沿って、滑雪シートを敷き、前記滑雪シートは端部が屋根の大棟に配置された架台の下部に取り付けられ他端部は屋根軒先迄垂れ下がる事を特徴とする請求項１記載の屋根の雪降し装置。
【請求項３】
上記発明において、屋根の大棟に駆動モータ及び駆動軸を載せた架台を配設しこの駆動軸に互いに反対方向に可撓性連結材によって連結し同一回転で両流れ屋根面の前記雪押し移動材は互いに反対方向（上部→下部、下部→上部）に移動する事を特徴とする請求項１又は請求項２記載の屋根の雪降ろし装置。
【請求項４】
、雪押し移動材は、自由に動き、短辺部材と長辺部材で構成される事を特徴とする請求項１ないし請求項３記載の屋根の雪降ろし装置。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
屋根棟から棟先の屋根上面に沿って、雪を押し流す高さ調整機能付きキャスターを設けた雪押し移動材を駆動する機構と雪押し移動材が屋根棟先に向かう時は、雪を押し流し屋根棟に向かう時は、積雪を掘り起こし塊状態の雪をほぐす働きをさせる正転、逆転運転や省エネルギーの為の断続運転する制御装置から構成される事を特徴とする屋根の雪降ろし装置。
【請求項２】
屋根棟から棟先の屋根上面に沿って、雪と屋根面との静止摩擦係数の少ない撥水性、且つ表面租度が平滑な熱可塑樹脂糸で編成された滑雪シートを屋根の大棟に配置された架台の下部に取付けられ、他端部は、屋根棟先迄垂れ下がるように敷き、０℃から融解始める雪水で静止摩擦係数が減少し、雪押し移動材の「押し流す力の軽減化による移動材の軽量化によるコスト低減化」、「屋根の凹凸段差の減小化による雪押し移動材の移動の円滑化」、「雪水の家屋への浸入防止」、「雪水から発生するツララ防止」、「除雪の流れガイド機能」等多くの相乗効果の役目も兼ね備えた事を特徴とする請求項１記載の屋根の雪降ろし装置。
【請求項３】
屋根の大棟に駆動モータ及び駆動軸を載せた架台を配設し、雪押し移動材長さ、駆動軸の長さ内の位置にシート製可撓性連結材を駆動軸に巻付けて連結し同一回転で両流れ屋根面の雪押し移動材は、互いに反対方向(上部→下部、下部→上部)に移動する事を特徴とする請求項１叉は請求項２記載の雪降ろし装置。
【請求項４】
雪押し移動材は、雪降ろし装置の設置する場所の屋根面の最大積雪重量/１日と雪押し移動材が屋根面に水平に働く力とのバランスを考慮され、屋根の勾配を利用し常に屋根棟先に向かうように無軌道の屋根面を移動し雪を押し流す動力源であり、雪質「新雪、しまり雪、ざらめ雪」、「水分の少ない乾いたサラサラ雪，湿った雪」の密度を考慮し雪押し移動材が屋根棟先に向かう時効率よく押し流し屋根棟に向かう時は積雪の塊を掘り起こし、ほぐす機能を有する短辺部材と長辺部材で構成され且つ屋根面に対しての角度調整機能もあり、さらに様々な屋根材(日本瓦、セメント瓦、耐震用軽量瓦、金属製トタン等)の凹凸の断面形状に合わせた掻き板を、取付け出来る機能をも併せ持つ事を特徴とする請求項１ないし請求項３記載の屋根の雪降し装置。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
キャスターによって移動する雪押し移動材は、屋根棟から軒先の間の屋根上面に沿って動く時に屋根上面の積雪を押し流し、軒先から屋根棟に動く時に屋根上面の積雪を堀起こす働きをし、雪押し移動材が正転、逆転叉は断続運転させる制御装置から構成され、且つ屋根の大棟に、雪押し移動材を正転、逆転叉は断続運転させる駆動モータとそれに連結された前記雪押し移動材と略平行に設け駆動軸を載せた架台を配設し、雪押し移動材と駆動軸は、雪押し移動材の長さの範囲内で、且つ駆動軸の長さ範囲内の位置に、シート製可撓性連結材の一端を駆動軸に巻き付け固定し、他端は雪押し移動材に固定し連結された両流れ屋根面用として設けられ駆動軸の回転で両流れ屋根面上の雪押し移動材は、互いに上下反対方向に移動する事を特徴とする屋根の雪降ろし装置。
【請求項２】
キャスターによって移動する雪押し移動材は、自由に動き、短辺部材と長辺部材で構成された長辺部材に対し、蝶番により短辺が任意の角度で調整できる事を特徴とする請求項1記載の屋根の雪降し装置。
【手続補正２】
【補正対象書類名】明細書
【補正対象項目名】０００６
【補正方法】変更
【補正の内容】
【０００６】
第１の発明はキャスターによって移動する雪押し移動材は、屋根棟から軒先の間の屋根上面に沿って動く時に屋根上面の積雪を押し流し、軒先から屋根棟に動く時に屋根上面の積雪を堀起こす働きをし、雪押し移動材が正転、逆転叉は断続運転させる制御装置から構成され、且つ屋根の大棟に、雪押し移動材を正転、逆転叉は断続運転させる駆動モータとそれに連結された前記雪押し移動材と略平行に設け駆動軸を載せた架台を配設し、雪押し移動材と駆動軸は、雪押し移動材の長さの範囲内で  且つ駆動軸の長さ範囲内の位置に、シート製可撓性連結材の一端を駆動軸に巻き付け固定し、他端は雪押し移動材に固定し連結された両流れ屋根面用として設けられ駆動軸の回転で両流れ屋根面上の雪押し移動材は、互いに上下反対方向に移動する事を特徴とする屋根の雪降ろし装置。
第２の発明はキャスターによって移動する雪押し移動材は、自由に動き、短辺部材と長辺部材で構成された長辺部材に対し、蝶番により短辺が任意の角度で調整できる事を特徴とする請求項1記載の屋根の雪降し装置。
上記目的を達成する為に本発明では，屋根棟部(上部)から屋根軒先(下部)の屋根上面
に沿って，滑雪シートを敷き、雪を押し流す雪押し移動材を駆動する駆動機構と正転、逆転且つ断続運転する為の制御装置から構成される事を特徴とする屋根の雪降し装置で前記
滑雪シートは端部が屋根の大棟に配置された架台の下部に取付けられ他端部は屋根軒先迄
垂れ下げられる。叉、屋根の大棟に駆動モータ及び駆動軸を載せた架台を配設しこの駆動軸に互いに反対方向に可撓性連結材によって連結し同一回転で両流れ屋根面の前記雪押し
移動は互いに反対方向(上部→下部、下部→上部)に移動する事を特徴とする。可撓性連結材としては、例えばシートベルト叉は可撓性鋼索がある。雪押し移動材にはキャスターが取りついてるので自由に動き、短辺部材と長辺部材で構成される事を特徴とした屋根の雪降ろし装置を要旨とするものである。
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
屋根棟から軒先の間の屋根上面に沿って動く時に屋根上面の積雪を押し流し、軒先から屋根棟に動く時に屋根上面の積雪を堀起こす働きをし、キャスターによって無軌道の屋根面を自由に移動する雪押し移動材を正転、逆転叉は断続運転させる制御装置と、屋根の大棟に駆動モータと、それに連結された前記雪押し移動材と略平行に設けた駆動軸を載せた架台で構成され、雪押し移動材の長さの範囲内で、且つ駆動軸の長さ範囲内の位置に、シート製可撓性連結材の一端を駆動軸に巻き付け固定し、他端を雪押し移動材に固定する事で、駆動軸の同一回転により両流れ屋根面上に設けられた雪押し移動材が、互いに上下反対方向に移動する事を特徴とする屋根の雪降ろし装置。
【請求項２】
キャスターによって無軌道の屋根面を移動する雪押し移動材は、自由に動き、短辺部材
と長辺部材で構成された長辺部材に対し、蝶番により短辺が任意の角度で調整できる事を
特徴とする請求項１記載の屋根の雪降ろし装置。
【手続補正２】
【補正対象書類名】明細書
【補正対象項目名】０００６
【補正方法】変更
【補正の内容】
【０００６】
第１の発明は屋根棟から軒先の間の屋根上面に沿って動く時に屋根上面の積雪を押し流し、軒先から屋根棟に動く時に屋根上面の積雪を堀起こす働きをし、キャスターによって無軌道の屋根面を自由に移動する雪押し移動材を正転、逆転叉は断続運転させる制御装置と、屋根の大棟に駆動モータと、それに連結された前記雪押し移動材と略平行に設けた駆動軸を載せた架台で構成され、雪押し移動材の長さの範囲内で、且つ駆動軸の長さ範囲内の位置に、シート製可撓性連結材の一端を駆動軸に巻き付け固定し、他端を雪押し移動材に固定する事で、駆動軸の同一回転により両流れ屋根面上に設けられた雪押し移動材が、互いに上下反対方向に移動する事を特徴とする屋根の雪降ろし装置。
第２の発明はキャスターによって無軌道の屋根面を移動する雪押し移動材は、自由に動き、短辺部材と長辺部材で構成された長辺部材に対し、蝶番により短辺が任意の角度で調整できる事を特徴とする請求項１記載の屋根の雪降ろし装置。
上記目的を達成する為に本発明では，屋根棟部(上部)から屋根軒先(下部)の屋根上面
に沿って，滑雪シートを敷き、雪を押し流す雪押し移動材を駆動する駆動機構と正転、逆転且つ断続運転する為の制御装置から構成される事を特徴とする屋根の雪降し装置で前記
滑雪シートは端部が屋根の大棟に配置された架台の下部に取付けられ他端部は屋根軒先迄
垂れ下げられる。叉、屋根の大棟に駆動モータ及び駆動軸を載せた架台を配設しこの駆動軸に互いに反対方向に可撓性連結材によって連結し同一回転で両流れ屋根面の前記雪押し
移動は互いに反対方向(上部→下部、下部→上部)に移動する事を特徴とする。可撓性連結材としては、例えばシートベルト叉は可撓性鋼索がある。雪押し移動材にはキャスターが取りついてるので自由に動き、短辺部材と長辺部材で構成される事を特徴とした屋根の雪降ろし装置を要旨とするものである。